(57)【特許請求の範囲】
【請求項１】
一方向に延長形成され、外周縁部の接線方向に交流電流が印加されるようにする電流支持部；
前記電流支持部の一端を内部に受容し、前記電流支持部を横切る方向に磁場を形成することによって、前記交流電流の極性変化により前記電流支持部の長さ方向に沿って振動される磁気振動部；及び
前記磁気振動部と結合され、前記振動を粒子状の物質が含まれた流体に伝達するプレート部；を含み、
前記磁気振動部は、
磁場を生成するマグネット；
前記マグネットの下面と結合して磁化され、前記マグネットの外周縁部に沿って下部に延長形成される内側パネル；及び
前記マグネットの上面と結合して磁化され、前記マグネットの外周縁部に沿って延長形成されるものの、終端が前記内側パネルの外周縁部と対向するように屈折されて形成されることにより、前記受容される電流支持部の一端を横切る方向の磁場が形成されるようにする外側パネル；を含むことを特徴とする、音波振動を用いたコールドブリューコーヒー抽出装置。
【請求項２】
前記粒子状物質が含まれた流体は、５Ｈｚ乃至２５Ｈｚで振動され、３分乃至３０分で振動されることを特徴とする、請求項１に記載の音波振動を用いたコールドブリューコーヒー抽出装置。
【請求項３】
前記磁気振動部の振動周波数の周期が調節されるようにする周波数調節部；
前記磁気振動部の振動周波数の振幅が調節されるようにする強度調節部；及び
前記磁気振動部の振動時間が調節されるようにする時間調節部；を含むことを特徴とする請求項１に記載の音波振動を用いたコールドブリューコーヒー抽出装置。
【請求項４】
前記内側パネル及び前記外側パネルは、
磁力の損失を軽減するために、屈折面が曲面で形成されることを特徴とする、請求項１に記載の音波振動を用いたコールドブリューコーヒー抽出装置。
【請求項５】
前記粒子状物質が含まれた流体は、
前記磁気振動部により生成される磁場内に設けられることを特徴とする、請求項１に記載の音波振動を用いたコールドブリューコーヒー抽出装置。
【請求項６】
前記電流支持部の他端と結合されるベース部；
前記ベース部の上面から延長形成されるリニアブッシュベアリング；
前記プレート部の底面から延長形成され、終端が前記リニアブッシュベアリングに挿入されて案内されることによって、前記磁気振動部の流動をガイドするシャフト部；及び
前記シャフト部と前記リニアブッシュベアリングを内部に受容し、両端が前記ベース部及び前記プレート部と結合されて、前記プレート部に伝達される荷重を緩衝させる弾性スプリング；をさらに含むことを特徴とする、請求項１に記載の音波振動を用いたコールドブリューコーヒー抽出装置。
【発明の詳細な説明】
【技術分野】
【０００１】
本発明は音波振動を用いたコールドブリューコーヒーの抽出装置に係り、より詳細には、音波振動をコーヒー粉末が混合されたコーヒー水溶液に加えて、容易にコーヒーを抽出できるコーヒー抽出装置に関する。
【背景技術】
【０００２】
コーヒー抽出方式は、人の手に頼ったトルコ式の浸出法からハンドドリップ、機械ドリップ、モカポット、フレンチプレス、サイフォンなどの個別的な抽出器具を始め、レバー式、ピストン式、スプリング式などのエスプレッソコーヒーマシンに次いで、今日ではデジタル技術を取り入れた全自動コーヒーマシンなどが開発されて使用されている。
【０００３】
その中、コーヒーの粉末に熱水を注いでコーヒーの成分が水に溶ける時間を待ってから抽出する浸漬式（浸出式）抽出法と、コーヒーが入っている濾過紙に熱水を注いでコーヒー液を抽出するドリップ濾過コーヒー抽出法は、簡単な道具を用いて容易にコーヒーを抽出することができるものの、冷たい水では抽出できないという短所を有しており、ポットにコーヒーを充填した後に高圧状態で高温の水を通過させてコーヒー液を抽出するエスプレッソコーヒーマシンを用いた抽出法も、高価の機械を購入しなければならないという短所と、冷水でコーヒーを抽出できないという短所を有している。
【０００４】
最近は、大量のコーヒー粉末が充填された容器に少量の冷水を長時間にかけて透過させてコーヒーを抽出するコールドブリュー（Ｃｏｌｄ  Ｂｒｅｗ）抽出法が多用されている。コールドブリュー抽出法は、ダッチコーヒー（Ｄｕｔｃｈ  ｃｏｆｆｅｅ）、ウォータードリップ（Ｗａｔｅｒ  Ｄｒｉｐ）抽出法とも呼ばれ、溶解度が落ちる低温状態でコーヒーを抽出するため、高温状態の抽出法に比べて抽出時間対比の湧出されるカフェインが相対的に少ないという長所がある反面、コーヒーを吟味できる成分の抽出量も少なくなるという短所がある。
【０００５】
従って、忙しい現代人のライフスタイルに合せて短時間でコーヒーを抽出することができ、抽出されるカフェインの量を低減できるコーヒー抽出法が必要である。
【発明の概要】
【発明が解決しようとする課題】
【０００６】
本発明は、上述した問題点を解決するために案出されたものであり、本発明の目的は、常温の水を用いて短時間でコーヒーを抽出できるコーヒー抽出装置を提供することにある。
【０００７】
そして、抽出時間対比少ないカフェインを湧出できるコーヒー抽出装置を提供することにある。
【０００８】
また、六角水が生成できるコーヒー抽出の条件を設けて、コーヒーの味と共に試飲者の健康増進を図れるコーヒー抽出装置を提供することにある。
【０００９】
本発明の目的は、以上で言及した目的に制限されず、言及していない他の目的は、以下の記載から明確に理解されるだろう。
【課題を解決するための手段】
【００１０】
前記目的を達成するために、本発明の一側面に係る、音波振動を用いたコーヒー抽出器は、一方向に延長形成され、外周縁部の接線方向に交流電流が印加されるようにする電流支持部；前記電流支持部の一端を内部に受容し、前記電流支持部を横切る方向に磁場を形成することによって、前記交流電流の極性変化により前記電流支持部の長さ方向に沿って振動される磁気振動部；及び前記磁気振動部と結合され、前記振動を粒子状の物質が含まれた流体に伝達するプレート部；を含む。
【００１１】
ここで、粒子状物質が含まれた流体は、５Ｈｚ乃至２５Ｈｚで振動され、３分乃至３０分で振動され得る。
【００１２】
ここで、前記磁気振動部の振動周波数の周期が調節されるようにする周波数調節部；前記磁気振動部の振動周波数の振幅が調節されるようにする強度調節部；及び前記磁気振動部の振動時間が調節されるようにする時間調節部；を含むことができる。
【００１３】
ここで、前記磁気振動部は、磁場を生成するマグネット；前記マグネットの下面と結合して磁化され、前記マグネットの外周縁部に沿って下部に延長形成される内側パネル；及び前記マグネットの上面と結合して磁化され、前記マグネットの外周縁部に沿って延長形成されるものの、終端が前記内側パネルの外周縁部と向き合うように屈折されて形成されることによって、前記受容される電流支持部の一端を横切る方向の磁場が形成されるようにする外側パネル；を含むことができる。
【００１４】
ここで、前記内側パネル及び前記外側パネルは、磁力の損失を軽減するために、屈折面が曲面で形成され得る。
【００１５】
ここで、前記粒子状物質が含まれた液体は、前記磁気振動部により生成される磁場内に設けら得る。
【００１６】
ここで、前記電流支持部の他端と結合されるベース部；前記ベース部の上面から延長形成されるリニアブッシュベアリング；前記プレート部の底面から延長形成され、終端が前記リニアブッシュベアリングに挿入されて案内されることによって、前記磁気振動部の流動をガイドするシャフト部；及び前記シャフト部と前記リニアブッシュベアリングを内部に受容し、両端が前記ベース部及び前記プレート部と結合され、前記プレート部に伝達される荷重を緩衝させる弾性スプリング；をさらに含むことができる。
【００１７】
前記目的を達成するための具体的な事項は、添付した図面と共に詳細に後述された実施例を参照すれば明確になるであろう。
【００１８】
しかしながら、本発明は、以下で開示される実施例に限定されるものではなく、お互いに異なる多様な形態で具現されることができ、本実施例は、本発明の開示が完全になるようにし、本発明が属する技術分野で通常の知識を有する者に発明の範疇を完全に知らせるために提供されるものである。
【発明の効果】
【００１９】
前述した本発明の課題解決手段のうち一つによれば、常温または低温の水を用いてコーヒーを抽出することによって、湧出されるカフェインの量を低減でき、コーヒー粉末が含まれた水溶液に音波振動を伝達することによって、コーヒーの抽出時間を短縮できる。
【００２０】
また、前記音波振動のために形成される磁場が、コーヒー粉末が含まれた水溶液に転嫁されることによって、磁場内の常温または低温の水溶液が六角形の結晶構造を有する水溶液に生成され得る効果を含む。
【図面の簡単な説明】
【００２１】
【図１】本発明の一実施例に係る音波振動を用いたコールドブリューコーヒー抽出装置の概略的な構成を示す外形図である。
【図２】本発明の一実施例に係る音波振動部の結合された構成を示す斜視図である。
【図３】本発明の一実施例に係る音波振動部の細部構成を示す分解斜視図である。
【図４】本発明の一実施例に係る音波振動部の結合構造を示す図２のＡ−Ａ′部分の断面図である。
【図５】本発明の一実施例に係る電磁気力の生成原理、音波振動の過程、及びコーヒー水溶液に形成される磁場を示す図面である。
【図６】本発明の一実施例に係る５Ｈｚの音波振動によるコーヒー水溶液の振動波形を示す図面である。
【図７】本発明の一実施例に係る２５Ｈｚの音波振動によるコーヒー水溶液の振動波形を示す図面である。
【図８】本発明の他の実施例に係るコーヒー抽出容器が安着される容器安着溝を示す図面である。
【図９】本発明のさらに他の実施例に係る各部分の高さが調節できるプレート部の駆動を示す図面である。
【発明を実施するための形態】
【００２２】
以下では、本発明の一実施例を、添付した図面に基づき詳細に説明する。以下に紹介される実施例は、本発明が属する技術分野で通常の知識を有する者に、本発明の思想が十分に伝わるように例示的に提供されるものである。本発明は、以下説明される実施例に限定されず他の形態に具体化されることができる。本発明を明確に説明するために、説明と関係ない部分は図面で省略しており、図面における構成要素の幅、長さ、厚さなどは、便宜上、誇張して表現されることがある。明細書の全体に亘って同一な参照符号は、同一な構成要素を指す。
【００２３】
図１は、本発明の一実施例に係る音波振動を用いたコールドブリューコーヒー抽出装置の概略的な構成を示す外形図である。
【００２４】
図１に示すように、本発明のコーヒー抽出装置（Ｂ）は、コーヒー粉末が混合された溶解度の低い常温または低温の水溶液に、コーヒー抽出装置（Ｂ）の下部に設けられる音波振動部１００が生成する音波振動を伝達することによって、コーヒー粉末と水溶液との混合を増進させて抽出時間対比、より大量のコーヒーを抽出することができ、抽出時間を短縮させることによってカフェインの湧出量を低減できる。
【００２５】
前記コーヒー抽出装置（Ｂ）の下部に設けられた音波振動部１００は、コーヒー抽出装置（Ｂ）の上部に設けられた制御部２００を介して制御される。前記制御部２００の周波数調節部２１０は、印加される交流電流を制御して振動周波数を調節することによって、生成される振動の周期を調節することができ、強度調節部２２０は、前記交流電流の制御により振動の振幅を調節することができ、時間調節部２３０は、駆動される音波振動部１００の振動時間を調節することによって、コーヒー粉末と水溶液との混合量、抽出温度、抽出時間などの多様な抽出条件に基づいて目的に応じる多様なコーヒーを抽出することを可能にする。
【００２６】
本発明の実施例においては、薄いコーヒーを抽出するための周波数である５Ｈｚ乃至濃いコーヒーを抽出するための２５Ｈｚ、３分乃至３０分の抽出時間を想定して、音波振動周波数及び強度の調節を可能にする。また、各音波振動によりコーヒーの濃度と味、香りを多様に調節できるように、５Ｈｚ、１０Ｈｚ、１５Ｈｚ、２０Ｈｚ、２５Ｈｚ別に振動周波数を調節することができる。さらに、前記音波振動部１００を用いて大量のコーヒー粉末で複数個のコーヒーを抽出する時、変わり得る抽出コーヒーの濃度を一定に保持することができる。
【００２７】
本実施例においては、コーヒー抽出方式として、コールドブリュー（Ｃｏｌｄ  Ｂｒｅｗ）コーヒー抽出方式を例に挙げて説明する。本発明におけるダッチコーヒー、ウォータードリップ抽出方式は、二重のこし網の内部のコーヒー粉末が水溶液に浸された状態でコーヒーを抽出させることであり、これは、コーヒー粉末に一定量の水を落として溶解された水溶液を抽出する一般的なコールドブリュー抽出方式とは異なり、音波振動を用いることによって、水溶液にコーヒー粉末を浸しておく一般的な浸漬式（浸出式）のコーヒー抽出方式を使用して、コールドブリューコーヒーを製造することができる。すなわち、前記浸漬式（浸出式）のコーヒー抽出方式は、高温の水溶液を用いるか、常温または低温の水溶液を用いる時には、長時間の浸漬（浸出）によりコーヒーを抽出することが一般的であるが、本発明のコーヒー抽出方式は、音波振動を用いて常温または低温の水溶液に浸漬（浸出）されたコーヒーを短時間に抽出することができる。
【００２８】
図２は本発明の一実施例に係る音波振動部の結合された構成を示す斜視図であり、図３は本発明の一実施例に係る音波振動部の細部構成を示す分解斜視図であり、図４は本発明の一実施例に係る音波振動部の結合構造を示す図２のＡ−Ａ′部分の断面図である。
【００２９】
図２乃至図４に示したように、本発明のコーヒー抽出装置（Ｂ）の下部に設けられる音波振動部１００は、電磁気力を用いて前記コーヒー抽出容器（Ｃ）を支持するプレート部１３０が上下に振動することによって、コーヒー抽出容器（Ｃ）に振動力を加えることができ、前記振動により発生する音波振動がコーヒー水溶液に伝達されて、前記水溶液の混合を増進させることができる。 
【００３０】
音波振動の原理は、スピーカーの音波生成の原理を用いるものであり、後述する図５のところでさらに詳細に説明する。
【００３１】
前記音波振動部１００は、上述した機能を行うために、電流支持部１１０、磁気振動部１２０、プレート部１３０、ベース部１４０、ガイド部１５０を含み、さらに冷却部１６０を含むことができる。
【００３２】
電流支持部１１０は、ベース部１４０の上部に設けられ、極性が周期的に変わる交流電流を印加して電気力を生成するためのものであり、ボビン１１１及びボイスコイル１１２を含む。
【００３３】
ボビン１１１は、円筒形状でベース部１４０の上部から延長形成され、上部には前記ボイスコイル１１２が巻き取られて受容できる受容溝を含む。
【００３４】
ボイスコイル１１２は、前記円筒形状のボビン１１１の上部に長さ方向に沿って螺旋状で巻き取られ、交流電流を流すことによって、巻き取られる回数と巻き取られる形状に応じて既に設定されている大きさの電気力を、前記ボビン１１１の外周縁部の接線方向に均一に形成することができる。
【００３５】
磁気振動部１２０は、前記プレート部１３０の下部に設けられ、中心軸が前記ボビン１１１、すなわち、電流支持部１１０の中心軸と一致するように設けられ、前記電流支持部１１０が生成する電気力と同一領域に磁場を形成するためのものであり、マグネット１２１、外側パネル１２２、内側パネル１２３、及び連結部１２４を含む。
【００３６】
マグネット１２１は、均一な磁気領域を形成するために永久磁石で設けられ、円筒形状で形成されて、中心軸を中心とする放射状磁場を形成することができる。本実施例におけるマグネット１２１は、ネオジム磁石(Ｎｅｏｄｙｍｉｕｍ  Ｍａｇｎｅｔ)で設けられるとよい。しかし、前記マグネット１２１の種類はこれに限定されるものではなく、半永久的な磁性を有する物質ならばいかなる物質が使用されても差し支えないことは勿論である。
【００３７】
外側パネル１２２は、磁性体で設けられ、前記マグネット１２１の上面と結合されることによって磁化され、円筒形状で前記マグネット１２１の上部から延長形成されて、前記マグネット１２１を中心とする均一な磁場を形成することができる。
【００３８】
内側パネル１２３も同じく、磁性体で設けられ、前記マグネット１２１の下面と結合されることによって磁化され、円筒形状で前記マグネット１２１の下部に延長形成されて、前記マグネット１２１を中心とする均一な磁場を形成することができる。
【００３９】
この際、外側パネル１２２は、マグネット１２１の上面から“コ”形状に延長して屈折形成され、終端が前記内側パネル１２３の外周面に向かうことによって、外側パネル１２２から内側パネル１２３に、または内側パネル１２３から外側パネル１２２に向かう磁場を形成することができる。すなわち、外側パネル１２２が“コ”形状に離隔されて内側パネル１２３に向かうことによって、内側パネル１２３に向かう磁場の大きさは他の部分の磁場の大きさより大きく形成されることができ、外側パネル１２２と内側パネル１２３が互いに異なる極性で対向して形成されることによって、前記マグネット１２１の外周縁部の接線方向と直交する方向の磁場を形成できることを意味する。
【００４０】
一方、前記外側パネル１２２の終端と内側パネル１２３の外周面との間の磁場領域には、前述した前記ボビン１１１の上部に取り巻かれたボイスコイル１１２、すなわち、電流支持部１１０の上段が引入されて、前記形成された磁場内に電気力が生成され得る。
【００４１】
言い換えれば、電流支持部１１０と磁気振動部１２０の中心軸を基準として、前記ボイスコイル１１２が取り巻かれたボビン１１１により接線方向への電気力が形成され、前記外側パネル１２２と内側パネル１２３により前記接線方向と直交する方向の磁場が形成されることによって、フレミングの左手の法則により前記中心軸に沿って電磁気力が生成される。また、印加される交流電流により、前記電磁気力は、中心軸に沿って周期的に変わる上下方向の電磁気力が形成されることによって、前記磁気振動部１２０が振動でき、これによりプレート部１３０も同じく振動できる。
【００４２】
さらに、前記外側パネル１２２の終端と内側パネル１２３の外周面との間に形成される接線方向と直交する方向の精密な磁場を形成するために、外側パネル１２２は前記内側パネル１２３と最大限離隔した形状で設けられることが望ましいが、マグネット１２１から伝達される磁気力の損失を考慮して離隔距離が決定されることが望ましい。
【００４３】
また、磁気力の損失を軽減するために、外側パネル１２２及び内側パネル１２３における角部は、すべて曲率を有する形状で設けられることが望ましく、本実施例においては、マグネット１２１、外側パネル１２２、及び内側パネル１２３が別途の結合手段乃至結合構造無しで磁気力により結合されるものとして図示して説明しているが、振動による中心軸の離脱または結合構造の変形を防止するためのいかなる構成が適用されても差し支えないことは勿論である。
【００４４】
連結部１２４は、磁気振動部１２０をプレート部１３０の下部に結合させるためものであり、プレート部１３０の中心に形成された結合溝と外側パネル１２２の上面に形成された結合溝に各々嵌合され得る。一方、連結部１２４は、マグネット１２１から外側パネル１２２に伝達される磁気力をプレート部１３０を介してコーヒー水溶液に伝達できるように、磁性体で設けられてもよく、コーヒー抽出装置（Ｂ）の電子機器を保護するために、非磁性体で設けられてもよい。
【００４５】
プレート部１３０は、磁気振動部１２０の上部に結合され、磁気振動部１２０の振動により上下流動し、伝達された振動をコーヒー水溶液に伝達するものであり、コーヒー抽出容器（Ｃ）の振動による位置の離脱を防止するために、摩擦力を提供できる構造または材質で設けられるとよい。本実施例においては、シリコン処理されたプレート部１３０を設けることによって、摩擦力と緩衝効果を提供できるが、本技術に適用される構成がこれに限定されることはなく、前記コーヒー抽出容器（Ｃ）に摩擦力及び緩衝効果を提供できるいかなる構成が使用されても差し支えないことは勿論である。
【００４６】
また、プレート部１３０は、前記外側パネル１２２及び連結部１２４から伝達される磁気力を受容して伝達できるように、磁性体で設けられるとよい。
【００４７】
ベース部１４０は、コーヒー抽出装置（Ｂ）の下部に設けられ、各構成要素を支持し、前記電流支持部１１０の発熱を放熱できるように、熱伝導度の高い材質で設けられるとよい。
【００４８】
ガイド部１５０は、前記プレート部１３０とベース部１４０との間に少なくとも一つ以上が設けられ、前記プレート部１３０と磁気振動部１２０の上下流動を案内するものであり、シャフト１５１、リニアブッシュ ベアリング１５２、弾性スプリング１５３、及び緩衝部材１５４を含む。
【００４９】
シャフト１５１は、円筒形状で設けられ、前記プレート部１３０の底面から下部に延長形成される。
【００５０】
リニアブッシュ ベアリング１５２は、ベース部１４０の上部から延長形成され、内部に前記シャフト１５１が引入されて長さ方向に沿って流動することによって、前記磁気振動部１２０の流動を案内できる。前記リニアブッシュベアリング１５２は、内部のボールを転動体とする転がりベアリングであって、動摩擦と静摩擦との差が小さいため、始動、停止の反復動作が頻繁に行われる往復運動部で動力及び伝達器具をを小さく保持できるという長所がある。
【００５１】
弾性スプリング１５３は、両端が前記プレート部１３０とベース部１４０に結合され、前記シャフト１５１とリニアブッシュベアリング１５２を内部に含むことによって、前記プレート部１３０の振動による衝撃を吸収することができ、コーヒー抽出装置（Ｂ）が動作しない時、弾性復原力により前記磁気振動部１２０を含むプレート部１３０の元の位置を保持できるようにする。
【００５２】
緩衝部材１５４は、前記シャフト１５１とプレート部１３０との間に結合され、前記シャフト１５１に伝達される衝撃を吸収できるようにする。
【００５３】
前記電流支持部１１０においては、電流が印加されて長時間使用される場合、大量の熱が発生し得て、該熱は上部に伝達されてコーヒー抽出に影響を及ぼし得る。しかし、本発明の電流支持部１１０は、音波振動部１００の下部に設けられたベース部１４０と結合されて発生した熱がベース部１４０を介して伝導されて放熱され得る。 
【００５４】
また、前記マグネット１２１は、高温で感知される特性があり、ネオジムで想定した本発明のマグネット１２１は、特に温度に脆弱な特性があるため、音波振動部１００の長時間の使用時に発生する熱を強制的に放熱させるために、冷却部１６０が設けられるとよい。
【００５５】
冷却部１６０は、ベース部１４０の底面に設けられ、前記電流支持部１１０からベース部１４０に伝達される発熱を放熱するためのものであり、冷却ファンまたは冷却フィンを含むことができ、前記電流支持部１１０を冷却するための構成ならば、既に公知された構成が使用できることは勿論のことである。
【００５６】
図５は、本発明の一実施例に係る電磁気力の生成原理、音波振動の過程、及びコーヒー水溶液に形成される磁場を示す図面であり、図６は、本発明の一実施例に係る５Ｈｚの音波振動によるコーヒー水溶液の振動波形を示す図面であり、図７は、本発明の一実施例に係る２５Ｈｚの音波振動によるコーヒー水溶液の振動波形を示す図面である。
【００５７】
図５乃至図７に示すように、本発明のコーヒー抽出装置（Ｂ）は、マグネット１２１により発生する磁気力を用い、前記外側パネル１２２と内側パネル１２３を通じて前記マグネット１２１を基準とする一定で均一な磁場を形成し、前記形成された磁場に前記磁場の方向と直交する方向の電気力を周期的に極性が変わるように提供することによって、フレミングの左手の法則による周期的な電磁気力を得ることができる。この時、固定された電流支持部１１０を基準に磁気振動部１２０が流動することによって、磁気振動部１２０と結合されたプレート部１３０が振動及び前記振動による音波振動を形成することができる。
【００５８】
前記生成された振動及び音波振動は、プレート部１３０を通じてコーヒー抽出容器（Ｃ）に直接的な振動駆動力が提供され、コーヒー粉末と水溶液との混合を増進させることができ、また、音波振動がコーヒー粉末を含んでいる水溶液に伝達されて、前記コーヒー抽出容器（Ｃ）の振動とは別に前記水溶液の振動によりコーヒー粉末と水溶液との混合を増進させることができる。
【００５９】
ここで、前記磁気振動部１２０により生成される振動がコーヒー抽出装置（Ｂ）全体に伝達されることを防止するために、音波振動部１００を除いた残りの領域には振動を吸収できる各振動周波数と対応できるダンパー（Ｄａｍｐｅｒ）（図示せず）が設けられて、振動電波を軽減することができる。
【００６０】
５Ｈｚまたは２５Ｈｚにおけるコーヒー水溶液の振動波形は、図６及び図７に示すように、五角形状または小波状の振動波形を形成できる。一般的に、コーヒー粉末の比重は水の比重より低くて、コーヒー粉末は前記水溶液の上部面に浮遊する形でコーヒーの溶解が行われるが、本発明の音波振動が加えられると、前記浮遊するコーヒー粉末は振動波形に応じて、コーヒー粉末が水溶液の内部に浸かるか混合される形で浮遊するようになるので、コーヒー抽出速度は一般的なコーヒー抽出法に比べて飛躍的に増加できる。
【００６１】
また、前述した周波数調節部２１０、強度調節部２２０及び時間調節部２３０の制御により、コーヒーの味と香りが異なる、薄いコーヒーと濃いコーヒーを抽出することができ、大量のコーヒー粉末を用いて複数個のコーヒー抽出液を生成する時も、前記制御により均一な濃度のコーヒーを抽出することができる。
【００６２】
さらに、前記音波振動部１００は、音波振動のための電磁気力を生成するために磁場を形成しなければならなく、前記磁場は、水の結晶構造を変化させられる物理的な効果を含む。一般的に、六角水を製造するための方法として、磁化六角水の製造方法とイオン投与六角水の製造方法が通用されている。ここで、磁化六角水の製造方法は、４℃付近の低温の水を磁場に通過させることにより、六角形結晶構造の六角水を製造することができる。
【００６３】
本発明のコーヒー抽出装置（Ｂ）は、常温または低温の水溶液を用い、前記水溶液にマグネット１２１により形成された磁場を転嫁させることによって、コーヒー抽出液の結晶構造を六角水の形態で提供できる。このために、前記連結部１２４及びプレート部１３０は、磁化されて磁気力を音波振動部１００の上部に伝達できて、六角水の製造条件を前記コーヒー水溶液に提供することができる。
【００６４】
また、コーヒー抽出装置（Ｂ）の下部に設けられる磁性体によりコーヒー水溶液の結晶構造に影響を及ぼしたり、または、コーヒー抽出装置（Ｂ）の上部、すなわち、コーヒー抽出容器（Ｃ）の上部に磁性体を設けてコーヒー抽出容器（Ｃ）を中心とする磁場を形成し、コーヒー水溶液の結晶構造を変化させることができる。
【００６５】
図８は、本発明の他の実施例に係るコーヒー抽出容器が案着される容器の安着溝を示す図面であり、図９は本発明のさらに他の実施例に係る各部分の高さが調節できるプレート部の駆動を示す図面である。
【００６６】
図８を参照すると、コーヒー抽出容器（Ｃ）は、六角水を生成するために、常温または低温状態の水溶液を使用し、前記磁気振動部１２０により生成される磁場に直接的に含まれ得る構造で設けられるとよい。このために、プレート部１３０には、上部と下部が貫通される構造の容器安着溝３００が設けられるとよい。容器安着溝３００は、プレート部１３０を貫通して形成されるものの、コーヒー抽出容器（Ｃ）の下部の形状と類似する形状で設けられ、コーヒー抽出容器（Ｃ）をプレート部１３０に固定することができる。これは、前述した摩擦力と緩衝力を提供するプレート部１３０（シリコン処理されたプレート部）の構成を代替できる。
【００６７】
また、前記容器安着溝３００には、固定範囲が可変されてコーヒー抽出容器（Ｃ）の下部を固定できる容器可変固定部（図示せず）がさらに設けられるとよい。これは、規格化さなないコーヒー抽出容器（Ｃ）を受容して固定するためのものであり、コーヒー抽出容器（Ｃ）を中心に放射状で離隔されて夫々のコーヒー抽出容器（Ｃ）の下部を固定することによって、振動により流動されるコーヒー抽出容器（Ｃ）を固定することができる。
【００６８】
図９を参照すると、夫々のリニアブッシュベアリング１５２の外周縁部には高さ調節部４００が設けられるとよく、前記弾性スプリング１５３の下段は高さ調節部４００に固定されて、前記高さ調節部４００の高さにより夫々異なる弾性復原力を前記プレート部１３０に伝達できる。
【００６９】
夫々異なる弾性復原力が伝達されたプレート部１３０は、水平角度が変更されることにより、前記磁気振動部１２０から伝達される音波振動の角度も同じく変更されて前記コーヒー抽出容器（Ｃ）に伝達できる。
【００７０】
例えば、図示したように、四つの高さ調節部４００が設けられて順次的に高さが調節されると、コーヒー抽出容器（Ｃ）は、プレート部１３０の中心を基準に回転して流動され、これによりコーヒー粉末が含まれた水溶液も同じく回転したり均衡が乱れて、前記音波振動によるコーヒー粉末の混合効果は増進できる。
【００７１】
前記高さ調節部４００は、ソレノイドバルブで設けられて高さが可変されることによって、前記弾性スプリング１５３を加圧できる。また、前記高さ調節部４００を制御するために、制御部２００には動作制御部（図示せず）が設けられるとよく、前記高さ調節部４００の動作を制御するための別のアルゴリズムが設けられてもよい。
【００７２】
従って、常温または低温の水を用いてコーヒーを抽出することによって、湧出されるカフェインの量を低減でき、コーヒー粉末が含まれた水溶液に音波振動を伝達することによって、コーヒー抽出時間を短縮させることができる。
【００７３】
また、前記音波振動のために形成される磁場が、コーヒー粉末が含まれた水溶液に転嫁されることによって、磁場内の常温または低温の水溶液が六角形の結晶構造を有する水溶液に生成される効果を含む。
【００７４】
以上の説明は、本発明の技術思想を例示的に説明したものに過ぎず、本発明が属する技術分野で通常の知識を有する者であれば、本発明の本質的な特性から逸脱しない範囲で多様な修正及び変形が可能である。
【００７５】
従って、本発明に開示された実施例は本発明の技術思想を限定するものではなく、説明するためのものであり、このような実施例によって本発明の技術思想の範囲が限定されることはない。
【００７６】
本発明の保護範囲は以下の請求範囲によって解釈されなければならなく、それと同等な範囲内にある全ての技術思想は本発明の権利範囲に含まれるものと解釈されるべきである。
【符号の説明】
【００７７】
１００：音波振動部          １１０：電流支持部
１１１：ボビン              １１２：ボイスコイル
１２０：磁気振動部          １２１：マグネット
１２２：外側パネル          １２３：内側パネル
１２４：連結部              １３０：プレート部
１４０：ベース部            １５０：ガイド部
１５１：シャフト            １５２：リニアブッシュベアリング
１５３：弾性スプリング      １５４：緩衝部材
１６０：冷却部              ２００：制御部
２１０：周波数調節部        ２２０：強度調節部
２３０：時間調節部
３００：容器安着溝          ４００：高さ調節部
Ｂ：コーヒー抽出装置        Ｃ：コーヒー抽出容器
【図１】
0006315394.tif 000002
【図２】
0006315394.tif 000003
【図３】
0006315394.tif 000004
【図４】
0006315394.tif 000005
【図５】
0006315394.tif 000006
【図６】
0006315394.tif 000007
【図７】
0006315394.tif 000008
【図８】
0006315394.tif 000009
【図９】
0006315394.tif 000010